(57)【要約】      （修正有）【課題】芳香剤を含む吸水性樹脂入り保冷バンドにおいて、水に漬ける前の保管中には芳香が発生しにくく、水に漬けた後の使用中には芳香を発生し、かつ繰り返し使用しても長期間芳香を発生できる保冷バンドを提供する。【解決手段】吸水性樹脂または吸水性樹脂を含む吸水シート３と、これを入れる袋状の通気性の布帛５からなる保冷バンドにおいて、袋の内部に芳香剤１を含み、前記芳香剤は水に溶解もしくは分散する非通気性のフィルム４で包まれるか、または水に溶解もしくは分散する樹脂と混合してシート状に成形されていることを特徴とする吸水性樹脂入り保冷バンドである。【選択図】図１
2017196056.tif 000002
【特許請求の範囲】
【請求項１】
吸水性樹脂または吸水性樹脂を含む吸水シートと、これを入れる袋状の通気性の布帛からなる保冷バンドにおいて、袋の内部に芳香剤を含み、前記芳香剤は水に溶解もしくは分散する非通気性のフィルムで包まれるか、または水に溶解もしくは分散する樹脂と混合してシート状に成形されていることを特徴とする吸水性樹脂入り保冷バンド。
【請求項２】
前記吸水性樹脂を含む吸水シートが、吸水性樹脂および水不溶性吸水・保水材を含むシート状の吸水シートである請求項１記載の保冷バンド。
【請求項３】
前記芳香剤が、水に溶解もしくは分散する非通気性のフィルムで包まれており、該フィルムが前記吸水シートの中間に挟み込まれている請求項２記載の保冷バンド。
【請求項４】
前記水に溶解もしくは分散する非通気性のフィルムが、水溶性樹脂フィルム、水溶性樹脂がコーティングされた水溶性紙および水溶性樹脂がコーティングされた水分散性紙からなる群から選ばれる１種以上である請求項１〜３のいずれか記載の保冷バンド。
【請求項５】
前記芳香剤が、マイクロカプセル化香料または粉末香料である請求項１〜４のいずれか記載の保冷バンド。
【請求項６】
装身用保冷バンドまたは保冷バンダナである請求項１〜５のいずれか記載のバンド。
【発明の詳細な説明】
【技術分野】
【０００１】
本発明は、布袋の中に吸水性樹脂が入った保冷バンドに関する。さらに詳しくは芳香剤入りの保冷バンドであって、水や冷水に漬けて吸水させ、頭や首などに装着することにより保冷と同時に芳香を発生する保冷バンドに関する。
【背景技術】
【０００２】
夏の暑い時期や、風邪などで人体が発熱した時、含水タオルを用いて頭部や首部を保冷して人体を冷やす方法がある。含水タオルは水の蒸発潜熱を利用して熱を除去するものであり、最近は、首部を保冷するものとしてネッククーラーが販売されている。このネッククーラーは吸水性樹脂の粉末を中に入れたものが用いられ、吸水すると中の吸水性樹脂が膨潤してゲルとなり、ゲル中の水が通気性布帛を通って徐々に蒸発するのでネッククーラー自体の温度が下がり、首部を保冷することができる。首部の頸動脈中の血液を保冷すると、適度に冷やされた血液は体全体に回り体の温度を下げることができる。このようなものとして、水可溶性成分含量が少ない吸水性樹脂を含水させて用いる吸水性樹脂入りバンド（たとえば、特許文献1）や、吸水性樹脂および該吸水性樹脂以外の水不溶性吸水・保水材が通水性基材に固定されてなる吸水シートを使用した保冷用首巻タオル（例えば、特許文献2）などがある。そして、これらの吸水性樹脂入り保冷バンドには、吸水性樹脂に加え必要に応じて芳香剤や香料を添加することができると記載されている。
【先行技術文献】
【特許文献】
【０００３】
【特許文献１】特許第４２０４９０４号公報
【特許文献２】特開２０１１−１５６３１７号公報
【発明の概要】
【発明が解決しようとする課題】
【０００４】
しかしながら、これらの吸水性樹脂入り保冷バンドにおいて、吸水性樹脂自体に芳香剤や香料を添加すると、通常は袋状の布が通気性であり、香料そのものが袋状の布から外気に拡散しやすいため、保冷バンドの在庫中や店頭での販売中に匂いが揮散しやすく、他の製品への匂い移りという問題点があった。
また、芳香剤として香料をマイクロカプセル化して匂いが揮散しにくいようにしたものがあるが、カプセルが水溶性のマイクロカプセル化香料では、香料がカプセルの表面に残存しやすく、全くの無臭にはならなかった。本発明の目的は、水に漬ける前の保管中には芳香が発生しにくく、水に漬けた後の使用中には芳香を適度に発生し、かつ繰り返し使用しても長期間芳香を発生できる保冷バンドを提供することである。
【課題を解決するための手段】
【０００５】
本発明者らは、上記の課題に鑑み鋭意研究の結果、芳香剤を特定の様式にて袋内に挿入すれば達成できることを見出し本発明に至った。
すなわち、本発明は、吸水性樹脂または吸水性樹脂を含む吸水シートと、これを入れる袋状の通気性の布帛からなる保冷バンドにおいて、袋の内部に芳香剤を含み、前記芳香剤は水に溶解もしくは分散する非通気性のフィルムで包まれるか、または水に溶解もしくは分散する樹脂と混合してシート状に成形されていることを特徴とする。
【０００６】
さらに本発明は、前記吸水性樹脂を含む吸水シートが、吸水性樹脂および水不溶性吸水・保水材を含むシート状の吸水シートであることを特徴とする。
さらに本発明は、前記芳香剤が、水に溶解もしくは分散する非通気性のフィルムで包まれており、該フィルムが前記吸水シートの中間に挟み込まれていることを特徴とする。
さらに本発明は、前記水に溶解もしくは分散する非通気性のフィルムが、水溶性樹脂フィルム、水溶性樹脂がコーティングされた水溶性紙および水溶性樹脂がコーティングされた水分散性紙からなる群から選ばれる１種以上であることを特徴とする。
さらに本発明は、前記芳香剤が、マイクロカプセル化香料または粉末香料であることを特徴とする。
また、本発明は、前記保冷バンドが、装身用保冷バンドまたは保冷バンダナであることを特徴とする。
【発明の効果】
【０００７】
本発明の保冷バンドは以下の効果を奏する。
（1）保冷バンドの保管中は芳香を発生しないので、他の製品に匂い移りしない。
（2）水に漬けて使用する際には芳香を発生し、かつ繰り返し使用しても長期間
芳香を発生できる。
【図面の簡単な説明】
【０００８】
【図１】本発明の保冷バンドの一例を示す断面の模式図である。
【発明を実施するための形態】
【０００９】
以下、本発明の実施の形態につき説明する。なお、本発明は、以下の実施の形態に限定されるものではない。本発明と同一および均等の範囲内において、以下の実施の形態に対して種々の変更を加えることが可能である。
【００１０】
本発明の保冷バンドにおいて、芳香剤を包むための水に溶解もしくは分散する非通気性のフィルムとしては、水溶性樹脂フィルム、水溶性樹脂がコーティングされた水溶性紙および水溶性樹脂がコーティングされた水分散性紙などが挙げられる。これらのフィルムは、ヒートシール、縫製もしくは接着剤による接着が可能なフィルムであり、これらを袋状にしてその中に芳香剤を封入することができるものであれば特に限定されない。これらのフィルムが非通気性であることによって、使用前の保冷バンドの保管中に芳香剤から香料成分が外部に漏れることが無くなる。
【００１１】
水溶性樹脂フィルムとしては、ポリビニルアルコール、ポリアクリルアミド、カチオン性樹脂、ポリアクリル酸とその誘導体、ポリエチレンオキシド、ポリ−Ｎ−ビニル−２−ピロリドン、ビニルエーテル系ポリマー、スチレン−無水マレイン酸共重合体、エチレン−無水マレイン酸共重合体などの水溶性樹脂を用いたフィルムが好適に使用される。これらの中でも、特に水溶性ポリビニルアルコールフィルムが好適である。水溶性ポリビニルアルコールフィルムを芳香剤を包む袋として使用することにより、保冷バンドの保管中は芳香を発生しないので、他の製品に匂い移りしないという効果を奏し、冷水に溶解するという特徴を有することにより、水に漬けた後の使用中には芳香を発生し、かつ繰り返し使用しても長期間芳香を発生できるようになる。水溶性ポリビニルアルコールフィルムのうちでも、ヒートシール可能なフィルムが、袋状にするための工程が簡単であるという観点から特に好ましい。
【００１２】
前記水溶性樹脂がコーティングされた水溶性紙とは、水溶性樹脂が両面または片面にコーティングされていることにより非通気性となる水溶性紙である。
水溶性紙とは、水溶性樹脂を繊維原料として製造された紙で、水に触れると速やかに溶解する性質を有するものである。具体的な水溶性紙としては、例えばメチルセルロース、ヒドロキシプロピルメチルセルロース、ヒドロキシエチルメチルセルロース、ヒドロキシルエチルセルロース、ヒドロキシルプロピルセルロース、カルボキシルメチルセルロース、カルボキシルエチルセルロース、ポリビニルピロリドン、ポリビニルアルコール及びこれらの誘導体並びにこれらの混合物から選択される水溶性樹脂を繊維原料とする紙である。また、水溶性がないポリマー例えば酸性カルボキシメチルセルロース繊維を用いて抄紙した後に、これを苛性ソーダ、アンモニア液などのアルカリ水溶液で処理し、水可溶性とした紙も本発明における水溶性紙として使用できる。
前記コーティングされる水溶性樹脂としては、前記の水溶性樹脂が挙げられ、好ましいのは水溶性ポリビニルアルコールである。
【００１３】
前記水溶性樹脂がコーティングされた水分散性紙とは、水溶性樹脂が両面または片面にコーティングされていることにより非通気性となる水分散性紙である。
前記水分散性紙とは、水に触れると絡みあった繊維が速やかに分離し、水中に分散する性質を有する紙で、水解性紙又は水解紙とも呼ばれる。
水分散性紙の原料繊維としては、木材パルプ繊維、非木材系パルプ繊維、レーヨン繊維、ポリエステル繊維が挙げられ、これらの繊維からなる水分散性紙は、湿式法や乾式法等の常法により製造される。
前記水溶性樹脂フィルム、水溶性樹脂がコーティングされた水溶性紙および水溶性樹脂がコーティングされた水分散性紙の水への溶解速度または分散速度は、最初の実使用において芳香を発生させるという観点から、冷水（例えば３〜２０℃）に1〜１５分間で完全に溶解または分散する程度が好ましい。
【００１４】
前記水溶性紙または水分散性紙は、シール性を考慮して、ウエブ表面に水溶性ポリビニルアルコールなどの水溶性樹脂をコーティングすることでヒートシール性を付与できるようになる。また、本発明における水溶性樹脂がコーティングされた水溶性紙や水分散性紙としては、紙の製造工程中に、解繊した繊維中に水溶性ポリビニルアルコール、ポリアルキレンオキシド、カゼイン等の水溶性樹脂などのバインダーを混合して製造される水溶性紙や水分散性紙も含まれる。
【００１５】
これらの水に溶解もしくは分散するフィルム、水溶性紙および水分散性紙は、接着剤や縫製による接合を容易に行うことができるが、工程の容易さの観点からから好ましいのはヒートシールによる接合であり、水溶性ポリビニルアルコールの熱接合には、通常、ニクロムリボンを用いたインパルスシールや高周波発振ダイを用いた高周波接合が適用されることが多い。
【００１６】
本発明において使用される芳香剤としては、香料成分を粉末化した粉末香料、香料成分を包接化合物に取り込んだもの、香料成分を芯材（内包材）とし水溶性成分を膜材としてマイクロカプセル化したものなどが挙げられる。
【００１７】
前記香料成分としては、天然香料及び合成香料のいずれを用いてもよく、これらを組み合わせて使用してもよい。香料成分の具体例としては、例えば、オレンジ、レモン、ライム、グレープフルーツ、タンジェリン、マンダリン及びベルガモットなどの柑橘類精油類；ペパーミント油、スペアミント油、シンナモン油、オールスパイス、アニスシード、バジル、ローレル、カルダモン、セロリ、クローブ、ナツメ、クミン、ディル、ガーリック、ジンジャー、メース、マスタード、オニオン、パプリカ、ローズマリーなどのスパイス油類などの植物精油類；コーラナッツ、コーヒー、ワニラ、ココア、紅茶、緑茶、ウーロン茶、香辛料などの油溶性抽出物または水蒸気蒸留により得られる油層部、さらに、リモネン、リナロール、ネロール、シトロネロール、ゲラニオール、シトラール、ｌ−メントール、オイゲノール、シンナミックアルデヒド、アネトール、ペリラアルデヒド、バニリン、γ−ウンデカラクトン、カプロン酸アリル、ｌ−カルボン、マルトール、アリルイソチオシアネートなどの合成香料化合物、又更に、『香料化学総覧，１，２，３』（奥田修著 広川書店出版）、『Ｐｅｒｆｕｍｅ  ａｎｄ  ｆｌａｖｏｒ  Ｃｈｅｍｉｃａｌｓ，１，２』（Ｓｔｅｆｆｅｎ  Ａｒｃｔａｎｄｅｒ著）、『合成香料  化学と商品知識』（印藤元一著  化学工業日報社出版）、『特許庁公報  周知・慣用技術集（香料）第１，２，３部』などに記載の香料化合物をあげることができる。これら柑橘類精油、植物精油類、合成香料などを任意の割合で混合した調合香料組成物及びこれらの任意の混合物などが挙げられる。
【００１８】
また、前記香料成分として、香料自体に消臭効果があるものや、汗等の不快臭と調和して新たに不快を感じさせない香りを発生させるハーモナイズド香料を使用することもできる。
本発明において、芳香剤としては、前記の香料成分を粉末化した粉末香料、包接化合物に取り込んだもの、香料成分を芯材として水溶性成分を膜材としてマイクロカプセル化したものが好ましい。
【００１９】
粉末香料としては、乳化後乾燥する方法により得られるもの、例えば、油溶性香料にゼラチン、アラビアガム、化工テンプン等の保護コロイド物質の水性溶液及び、所望によりショ糖脂肪酸エステル、グリセリン脂肪酸エステル、ポリグリセリン脂肪酸エステル、プロピレングリコール脂肪酸エステル、ソルビタン脂肪酸エステル、レシチン、サポニン等の乳化剤の水性溶液を加えて高圧ホモジナイザー、回転円盤型ホモジナイザー、コロイドミル等により乳化処理を行いＯ／Ｗエマルジョンとし、噴霧乾燥、真空乾燥、凍結乾燥などにより粉末化した粉末香料である。
【００２０】
また、吸着法により得られる粉末香料としては、例えばトレハロースなどの有機物粉末、並びにシリカ、ベントナイトおよびゼオライトなどの無機粉末を賦形剤として油溶性香料を混合し、賦形剤の粉末に香料を吸着させて得られる粉末香料である。
粉末香料としては、さらに上記の粉末香料の表面を前記水溶性樹脂でコーティングしたものも挙げられる。
【００２１】
包接化するための包接化合物としては、シクロデキストリン、デキストリン、難消化性デキストリンなどを使用することができ、特に、シクロデキストリンを使用した場合には、香りを発するだけでなく、汗等の臭い成分を吸着するのに有効であるため好ましい。前記シクロデキストリンとしては、α−シクロデキストリン、β−シクロデキストリン、γ−シクロデキストリンのいずれか又は２種以上の混合物とすることができる。
【００２２】
香料成分をマイクロカプセル化したものは、水分と接触すると芯材の香料成分が流出し、香りを発する性質を有するものである。どのような仕組みで香料成分が流出するかは特に限定されない。例えば、水を吸うと膜材が壊れる形態、水分を吸うと膨潤して膜材に形成されている細孔が開く形態、水分を吸うと膜材が溶解する形態などを例示することができる。使用する膜材としては、水溶性のものであればよく、例えば、ゼラチン、寒天、天然ゲル化剤、グリセリンなどを使用することができる。また、カプセルの構造も特に限定されず、例えば、単純単核のものを例示することができる。さらに、マイクロカプセルの形状も特に限定されない。マイクロカプセルの大きさも特に限定されないが、好ましくは０．１〜１０００μｍ、より好ましくは１〜５０μｍである。
【００２３】
本発明において、芳香剤を水に溶解もしくは分散する非通気性のフィルムで包む方法としては、前記フィルムを袋状に成形しておいて、その中に芳香剤を封入して密封する方法が挙げられる。成形方法としては、前記ヒートシール、接着または縫製などが挙げられる。
【００２４】
芳香剤を含む袋状物の形状と大きさは、本発明における保冷バンドの最外袋を構成する通気性の布帛からなる袋状物よりも小さいことが必要である。保冷バンドは装着する部位や子供、大人により大きさが決まるが、好ましくは巾０．５ｃｍ〜１５ｃｍ、長さ１０ｃｍ〜１５０ｃｍであり、より好ましくは巾２ｃｍ〜１０ｃｍ、長さ２０ｃｍ〜９０ｃｍであり、形状は特に限定はなく、帯状や三角形などがある。従って、芳香剤を含む袋状物の大きさと形状は、上記保冷バンドの中に十分に入ることができれば特に限定されず、保冷バンド１個に芳香剤を含む袋状物１個入れるとは限定されず、小さい袋状物を複数個入れてもよい。また芳香剤を含む袋状物の形状も特に限定されず、長方形でも正方形でも三角形でもよい。
【００２５】
本発明において、芳香剤を水に溶解もしくは分散する樹脂と混合してシート状に成形する方法としては、予め芳香剤を水溶性樹脂と芳香剤を混合しておき、これをシート状に成形したものが挙げられる。使用できる水溶性樹脂としては前記のものが挙げられる。混合の方法において、樹脂を加熱しておいて芳香剤を混練した後、成形する方法、および樹脂を水溶液もしくは水分散液にしておいて芳香剤を混合した後、シート状に展開した後、乾燥して成形する方法などが挙げられる。芳香剤が熱によって不安定化しにくいという観点から好ましいのは、後者の樹脂を水溶液もしくは水分散液にしておいて芳香剤を混合する方法である。
【００２６】
芳香剤を水に溶解もしくは分散する樹脂と混合してシート状とする方法において、保冷バンド１個当たりの香料成分の量および芳香剤の量としては、香料成分の種類や芳香剤の形態により適宜選択されるが、好ましくは前記芳香剤を水に溶解もしくは分散する非通気性のフィルムで包む方法における好ましい量と同様である。また、前記シートの大きさは、前記芳香剤を水に溶解もしくは分散する非通気性のフィルムで包む方法における袋状物と同様に保冷バンドの最外袋を構成する通気性の布帛からなる袋状物よりも小さいことが必要であり、好ましい大きさと形状も同様である。
【００２７】
本発明において、前記芳香剤が水に溶解もしくは分散する非通気性のフィルムで包まれる方法と、前記芳香剤が水に溶解もしくは分散する樹脂と混合してシート状に成形される方法のうち、香料成分の保管中の外部への揮散が特に少なくなるという観点から好ましいのは、非通気性のフィルムで包まれる方法である。
【００２８】
保冷バンド１個当たりの香料成分の量としては、香料成分の種類や芳香剤の形態により適宜選択されるが、好ましくは０．００１〜２ｇ、さらに好ましくは０．０１〜１ｇ、特に好ましくは０．０５〜０．３５ｇである。香料成分の量が０．００１ｇ以上であれば繰り返し使用しても長期間にわたって芳香を発生しやすく、また２ｇ以下であれば初期の芳香が強すぎることがなく好ましい。
【００２９】
また、保冷バンド１個当たりの芳香剤の量としては、香料成分の種類や芳香剤の形態により適宜選択されるが、好ましくは０．００２〜３ｇ、さらに好ましくは０．０１〜１．５ｇ、特に好ましくは０．１〜０．５ｇである。芳香剤の量が０．００２ｇ以上であれば繰り返し使用しても長期間にわたって芳香を発生しやすく、また３ｇ以下であれば初期の芳香が強すぎることがなく好ましい。
【００３０】
本発明における保冷バンド中の吸水性樹脂としては、天然系でも合成系でも特に限定はないが、安価で、安全性、耐久性、吸水倍率や吸水速度などの吸水特性に優れ、かつ、腐敗の心配の無いものが好ましい。
このようなものとして特に合成系の吸水性樹脂が挙げられ、吸水・膨潤するものであれば特に限定されるものではないが、たとえば、ポリアクリル酸部分中和物架橋体、デンプン−アクリル酸グラフト重合体の中和物、デンプン−アクリロニトリルグラフト重合体の加水分解物、酢酸ビニル−アクリル酸エステル共重合体のケン化物、イソブチレン−無水マレイン酸共重合架橋体、アクリロニトリル共重合体若しくはアクリルアミド共重合体の加水分解物またはこれらの架橋体、アクリル酸塩−アクリルアミド共重合架橋体、ポリビニルアルコール架橋体、変性ポリエチレンオキサイド架橋体、アクリルアミド−２−メチルプロパンスルホン酸塩共重合架橋体、（メタ）アクリロイルアルカンスルホン酸塩共重合架橋体、架橋カルボキシメチルセルロース塩、カチオン性モノマーの架橋重合体などが挙げられる。これらのうち、ポリアクリル酸部分中和物架橋体、および、デンプン−アクリル酸グラフト重合体の中和物が、吸水膨潤特性、保水性、安全性や経済性などが特に良好であるため好ましい。
【００３１】
これらの吸水性樹脂は、単独で用いてもよく、また、二種類以上を適宜混合して用いてもよい。上記吸水性樹脂は、所定形状に造粒されていてもよく、また、不定形破砕状、球状、鱗片状、繊維状、棒状、塊状、粉末状など、種々の形状であってもよいが、吸水性能を向上させるために、粉末状であることがより好ましい。
【００３２】
粒子の平均粒子径について特に限定はないが、好ましくは３０〜８５０μｍであり、より好ましくは６０〜４００μｍである。３０μｍより大きいと通気性基材から吸水性樹脂の粉末が漏れにくくなり、８５０μｍより小さいと含水ゲルを作成するときの吸水速度が良好である。粒度分布は特に限定はないが、好ましくは３０〜８５０μｍの範囲の粒子が９５質量％以上になるような粒度分布である。ここで平均粒子径は質量平均粒子径を意味し、質量平均粒子径は、架橋重合体の各粒度分布を横軸が粒子径、縦軸が質量基準の含有量の対数確率紙にプロットし、全体の５０％を占めるところの粒子径を求める方法により測定する。たとえば、通常の篩振とう法が適用できる。
【００３３】
上記吸水性樹脂の吸水倍率は重量で１００〜１０００倍であるのが好ましい。吸水倍率は下記の方法で測定できる。
また、吸水性樹脂の吸水速度は、好ましくは５〜２００秒であり、より好ましくは５〜１００秒である。吸水速度が５秒以上であると、空気中の湿度の影響で吸水性樹脂同士のブロッキングなどが生じにくくなり、使う前に「ままこ」がないので使いやすい。吸水速度が２００秒以下であると、含水した時の吸水速度が十分に速くまた水の蒸散速度も速いので冷却速度も速く好ましい。
【００３４】
また、吸水性樹脂の粉末の代りに、吸水性樹脂の粉末を通気性基材に固定したシート（吸水シート）を用いることができ、公知の吸水シートを使用することができる。吸水シートにしたものを用いると吸水性樹脂の粉末が吸水シートに均一に存在するので、粉末を用いる場合よりも偏りが少なくなるので好ましい。特に、吸水シートを使う場合は、複数枚の吸水シートの中間に芳香剤を設置できるので、芳香剤が保冷バンドの表面から離れた位置に存在し、保冷バンドを繰り返し使用しても徐々に芳香剤が表面に出てきやすいという観点から好ましい。
【００３５】
吸水シートにする場合には、上記の吸水性樹脂の粉末と共に、水不溶性吸水・保水材を同時に含ませることが吸水速度と均一な吸水性の観点から好ましい。水不溶性吸水・保水材としては、吸水して膨潤する吸水性樹脂以外のもの、たとえば、パルプ、吸水性繊維、ヤシガラ、モミガラ、木くず、木粉、木綿、オガクズ、ワラ、ヤシ殻活性炭などの有機系水不溶性吸水・保水材やパーライト、ロックウール、多孔質セラミック、バーミキュライト、軽石などの無機系水不溶性吸水・保水材が挙げられる。
【００３６】
吸水シートの構成として好ましいものは、布（特に好ましくは不織布）、紙などの通水性基材の片面または両面に粘着剤やバインダー樹脂を用いて吸水性樹脂粉末および水不溶性吸水・保水材を固定化したものであり、特に好ましいものは、紙や不織布などの通水性基材でサンドイッチ状に挟んだ後、エンボス加工法、ニードルパンチ法で吸水性樹脂および水不溶性吸水・保水材を一体化したもの；プラスチックフィルムの片面に粘着剤やバインダー樹脂を用いて吸水性樹脂粉末を固定させ、そのまままたは片面に上記通水性基材を被せたもの、たとえば、セロハンやビニールの粘着テープを用いて、粘着面に吸水性樹脂粉末を散布しそのまままたは不織布などの通水性基材を被せて圧着ロールで固定したものなどが挙げられる。これらの吸水シートは、吸水性樹脂粉末の吸水による膨潤を妨げにくいため、多くの水を吸収して保水することができる。特に好ましいものは、エンボス加工法で吸水性樹脂が不織布や紙に挟まれて固定されたものである。
【００３７】
吸水シートの大きさは特に限定がない。吸水シートを保冷バンド内に設置する場合は、保冷バンドの大きさに合わせてカッティングして１枚で設置しても折り曲げて入れても数枚重ねて設置してもよい。
【００３８】
吸水性樹脂の使用量は、粉末であれ吸水シートであれ、保冷バンドにおいて好ましくは１０〜１２０ｇ／ｍ2、より好ましくは３０〜１００ｇ／ｍ2であり、特に好ましくは４０〜８０ｇ／ｍ2である。使用量が１０ｇ／ｍ2以上であると、保冷バンドの保水性が良好であり人体を保冷できる。１２０ｇ／ｍ2以下であると、保冷バンドが吸水したとき膨らみすぎず、また性能と経済面のコストパフォーマンスが良好である。
【００３９】
本発明の保冷バンドにおいて、袋状の通気性の布帛としては、柔軟性を有する編布、織布が好ましく使用でき、従来保冷バンドに用いられる通気性の布帛が使用できる。不織布は用いることができるが、人体に接する最外層の布帛としては皮膚に対する感触が十分でない場合があったり、引張強度に劣る場合があり、使用しづらい。
【００４０】
通気性の布帛の材質としては、たとえば綿、麻、羊毛、絹、セルロース、パルプなどの天然繊維、ポリエステル、ナイロン、アクリル、ポリエチレン、ポリプロピレン、ポリウレタン、ポリスチレン、ポバールなど及びその変性物などの合成樹脂又は繊維、レーヨン、アセテートなどの半合成繊維など及びこれらの混合素材が適用できる。好ましいのは吸水性のある天然繊維、およびそれらと他の繊維の混合素材である。また、これらの繊維を変性または組み合わせた高吸水性繊維、マイクロファイバーなども特に好ましく適用できる。
【００４１】
本発明の保冷バンドにおいて、前記布帛と吸水性樹脂との間に不織布が存在することが好ましい。不織布が存在することにより、縫製した縫い目から吸水性樹脂の粉末や含水ゲルの漏れが抑制され、さらに芳香剤の漏れも抑制される。不織布はそれを構成する繊維が不規則に絡まっているので、ミシンの針で不織布の繊維が切断して穴が開いたとしても使用時にネッククーラーを引っ張るなどすると不規則に絡まっている繊維が動き穴を塞いでしまい、吸水性樹脂の粉末や含水ゲルの漏れ、さらに芳香剤の漏れも抑制されることになる。
また、保冷バンド使用時に保冷バンドに日光が当たってもヌメリの発生が抑制できる。吸水性樹脂は乾燥状態では紫外線により分解されることは起こりにくいが、その含水ゲルは紫外線により徐々に分解される。分解すると水可溶性成分となりヌメリ感をもたらし、保冷バンドを使用するときの不快感になる。通常保冷バンド使用時にはこのようなことは発生しにくいが、使用後日光に当てて乾燥したりすると極端に日光が当たることになり次回使用時のヌメリ感になる場合がある。この場合には、本発明の保冷バンドを用いると、水を含んだ吸水性樹脂の分解を遅らせることができる。これは不織布中の不規則に配列された繊維が保冷バンドの中に入った紫外線を吸収したり、乱反射してさらに吸水性樹脂に入ることを少なくするためと考えられる。
【００４２】
本発明において、上記不織布の繊維が合成繊維であると、高速ミシンにより縫製されても布帛を構成する糸の切断が抑制される。高速ミシンで縫製するとミシン針と糸との間の摩擦が大きくなり、したがって摩擦熱が大きくなり針の温度が上昇して布帛を構成する糸が切れやすくなる。不織布を構成する合成繊維は摩擦熱により自身が溶融し摩擦熱を奪うので針の温度上昇を防ぎ、摩擦熱による布帛を構成する糸の切断を抑制することができる。一方、不織布を構成する繊維が溶融して穴が開いても不織布の繊維は不規則に絡まっているので、不織布を引っ張るなどすると穴は塞がり吸水性樹脂の粉末や含水ゲルや芳香剤の漏れが少なくなるので好ましい。
【００４３】
上記不織布としては、工業的に使用されている不織布が使用できる。不織布の繊維素材としては、合成繊維（ポリエステル、ポリアミド、アクリル、ポリオレフィン繊維など）、半合成繊維（アセテート、レーヨンなど）、天然繊維（綿、絹、羊毛など）、炭素繊維、およびこれらの混合品（混紡品など）などの繊維素材が適用できる。
【００４４】
不織布は乾式法、湿式法のいずれの方法でも、またスパンレース法、サーマルボンド法、スパンボンド法、ニードルパンチ法などいずれの方法で製造されたものでも使用できる。これらの方法により繊維は不規則に絡まり、縫製により発生する針穴の拡大が抑制され、本発明の効果が発揮できる。
不織布の目付量は、１０ｇ／ｍ2以上１００ｇ／ｍ2以下が好ましい。１０ｇ／ｍ2以上であると吸水性樹脂またはそのゲルが不織布と絡み合い通過しにくく、縫製したときに布帛に発生する針穴からのゲルの漏れを抑制できる。１００ｇ／ｍ2以下であると不織布が柔軟であり、保冷バンドとして用いたときに、かさばらず使用時に違和感がない。より好ましくは１５ｇ／ｍ2以上５０ｇ／ｍ2以下であり、特に好ましくは１５ｇ／ｍ2以上３０ｇ／ｍ2以下である。
【００４５】
また、上記素材の短繊維または長繊維を集めて圧縮したフェルトはウェブが豊富であり、不織布として使用できる。フェルトは織フェルト、プレスフェルト、ニードルパンチフェルトなど、一般にフェルトと称されるものであり、たとえば、「産業用繊維資材ハンドブック」（日本繊維機械学会、３６２頁〜３８１頁）に記載されているものが使用できる。
【００４６】
また、上記の通気性の布帛や不織布のフラジール法による通気度は０．１ｃｍ３／ｃｍ２・ｓ以上であるのが好ましく、０．３ｃｍ３／ｃｍ２・ｓ以上であるのがより好ましい。また、３０ｃｍ３／ｃｍ２・ｓ以下であるのが好ましく、２０ｃｍ３／ｃｍ２・ｓ以下であるのがより好ましい。０．１ｃｍ３／ｃｍ２・ｓ以上であると、保冷バンドの含水ゲルの水分が布を通して徐々に気化する気化速度が早く人体を保冷することができる。また、汗などを早く吸収することができる。０．３ｃｍ３／ｃｍ２・ｓ以上であると水の気化速度や汗の吸収速度がさらに早くなる。３０ｃｍ３／ｃｍ２・ｓ以下であると、吸水前の吸水性樹脂粉末が外部に抜け出ることが少ない。
【００４７】
本発明の保冷バンドの製法としては、布帛からなる一部が開口した袋を作成しておき、開口から吸水性樹脂の粉末または吸水シートをフィルムで包まれた芳香剤と共に入れた後、開口を閉じてもよいし、布帛上に吸水性樹脂の粉末または吸水シートとフィルムで包まれた芳香剤を置いた後、上から布帛を被せて袋を形成してもよい。
芳香剤は水に溶解もしくは分散する非通気性のフィルムで包まれた状態または水に溶解もしくは分散する樹脂と一体化したシート状の状態で、吸水シートの中間に挿入されていることが好ましい。吸水シートの中間とは、1枚の吸水シートを折り曲げた中間に挟み込まれた状態であってもよいし、複数枚の吸水シートの中間に挟み込まれた状態であってもよい。吸水シートの中間に設置されることにより芳香剤が吸水した吸水性樹脂ゲルの狭い隙間を通って表面に拡散するための時間が多くかかり、長時間および繰り返し使用しても芳香を発生しやすい。複数枚の吸水シートとしては２〜４枚、特に２枚が好ましい。
【００４８】
本発明においては、不織布は吸水性樹脂の粉末または吸水シートと布帛との間にあり、不織布を通して縫製されることが好ましい。袋が通気性の布帛と不織布が積層したもので形成され、その中に吸水性樹脂の粉末または吸水シートとフィルムで包まれた芳香剤を入れた後、縫製してもよく、または不織布で形成した袋に吸水性樹脂の粉末または吸水シートとフィルムで包まれた芳香剤を入れた後、通気性の布帛の袋に入れ縫製してもよい。好ましいのは、吸水シートとフィルムで包まれた芳香剤を入れた不織布の袋を通気性の布帛からなる袋に入れてから縫製する方法であり、経済上有利である。
【００４９】
縫製は、通常の家庭用または工業用ミシンによるミシン掛けがよく、生産効率面から、高速工業用ミシンによる縫製が好ましい。縫製糸は、綿、絹や合成繊維（ポリエステル、ナイロン、アクリル、ポリプロピレンなど）が使用できる。縫製糸の太さなどは用途によって変えて用いられる。
【００５０】
保冷バンドの大きさは、装着する部位や子供、大人により決まるが、好ましくは巾１ｃｍ〜１５ｃｍ、長さ１５ｃｍ〜１５０ｃｍであり、より好ましくは巾２ｃｍ〜１０ｃｍ、長さ２０ｃｍ〜９０ｃｍであり、形状は特に限定はなく、帯状や三角形などがある。三角形のものとは、二等辺三角のようなもので長い底辺部が帯状になっているものは特にバンダナと称する。またスカーフの一部などとしても、ファッション性を有し若者に好まれ用いられる。  
【００５１】
図１は、本発明の保冷バンドの一例を示す断面の模式図である。１は保冷バンドの中心部にある芳香剤であり、２はそれを包む袋状の非通気性の水溶性樹脂フィルムである。その外側は３の吸水シートで覆われており、さらにそれらは４の不織布で袋状に覆われており、最外層は通気性の布帛４で覆われていることを表す。
【００５２】
本発明の吸水性樹脂入り保冷バンドは、含水させて人体の頭、首、腕などに巻いて保冷する装身用保冷バンドまたは保冷バンダナとして好適に使用できる。装身用保冷バンド又は保冷バンダナとして使用する場合には、吸水性樹脂の入ったバンドを１〜１５分間、１〜２５℃の水に浸けた後使用する。好ましくは３〜２０℃である。また、含水させない場合は、汗取りバンドとして額や首などに用いれば、汗を吸収することができる。
【００５３】
以下、実施例にて本発明をさらに詳細に説明するがこれに限定されるものではない。
【００５４】
（製造例１）
水溶性ポリビニルアルコールフィルム「ハイセロン  Ｃ」（日本合成化学社製）を幅５ｃｍ、長さ２４ｃｍにカットし、長さ方向に二つ折りにして二方に幅５ｍｍのヒートシールをして袋を作製した。その中にペパーミント系の香料成分をトレハロースに担持させて得られた粉末状の芳香剤を０．１ｇ（香料成分としては０．０７ｇ）入れて開放口をヒートシールして密封し、袋入り芳香剤（Ａ１）を得た。
【００５５】
（製造例２）
製造例１において、芳香剤の量０．１ｇに替えて０．５ｇを用いたこと以外は製造例１と同様にして袋入り芳香剤（Ａ２）を得た。
【００５６】
（製造例３）
水分散性紙「Ａ-３０１５」（日本製紙パピリア社製）を幅５ｃｍ、長さ２４ｃｍにカットし、長さ方向に二つ折りにして二方をヒートシールして袋を作製した。その中にフローラル系の香料成分をシリカ粉末に担持させ、さらにその表面をポリエチレンオキシドでコートした粉末状の芳香剤を０．１ｇ（香料成分としては０．０５ｇ）入れて開放口をヒートシールして密封し、袋入り芳香剤（Ａ３）を得た。
【００５７】
（製造例４）
製造例３において、芳香剤の量０．１ｇに替えて０．５ｇを用いたこと以外は製造例３と同様にして袋入り芳香剤（Ａ４）を得た。
【００５８】
（製造例５）
吸水性樹脂として、平均粒径２００μｍ、吸水量１００ｇ／ｇ、水可溶性成分含量２．０％の架橋されたポリアクリル酸ソーダを準備した。
巾４０ｃｍ、長さ７０ｃｍのティッシュペーパーの上に、上記の吸水性樹脂と繊維状パルプ（重量比で１／２）の合計量を１５０ｇ／ｍ２になるように均一に散布し、その上に同じサイズのティッシュペーパーを置いて、その上からエンボス加工を施し一体化した。これを巾８ｃｍ、長さ３６ｃｍになるようにスリットしたシートを二つ折りして吸水シート（Ｂ）を作成した。
【００５９】
（製造例６〜９）
二つ折りにした吸水シート（Ｂ）の中間に、上記の袋入り芳香剤（Ａ1）〜（Ａ４）のいずれか一つを挿入し、芳香剤を含む吸水シート(ＡＢ1)〜（ＡＢ４）を得た。
【００６０】
（製造例１０〜１３）
目付量が１９ｇ／ｍ２のポリエステル／ポリエチレンの不織布を用い、上記の芳香剤を含む吸水シート（ＡＢ1）〜（ＡＢ４）が１本入る程度の偏平状の袋をヒートシールして作成し、上記の吸水シート（ＡＢ1）〜（ＡＢ４）のいずれかを１本づつ入れて、開口部をヒートシールして、巾４ｃｍ、長さ３６ｃｍの不織布袋入りの吸水シート（Ｃ1）〜（Ｃ４）を作成した。
【００６１】
（実施例１〜４）
綿織物（通気度は１６ｃｍ3／ｃｍ2・ｓｅｃ）で作成した幅１２ｃｍ、長さ８６ｃｍの短冊状の布の内部に前記不織布袋入りの吸水シート（Ｃ1）〜（Ｃ４）のいずれかを置き、長さ方向に二つ折りして側面をミシンで縫製し、幅５ｃｍ、長さ８６ｃｍの本発明の保冷バンドを作成した。なお、長さ方向中央もミシンで縫製した。
実施例１〜４の保冷バンドの構成を表１に示した。
【００６２】
【表１】
2017196056.tif 000003
【００６３】
また、比較の保冷バンドとして以下の2種を作製した。
【００６４】
（比較例1）
実施例１において、二つ折りにした吸水シート（Ｂ）の中間に前記粉末状の芳香剤を粉末状のまま散布したこと以外は、実施例1と同様にして比較例1の保冷バンドを作製した。
【００６５】
（比較例２）
実施例４において、二つ折りにした吸水シート（Ｂ）の中間に前記粉末状の芳香剤を粉末状のまま散布したこと以外は、実施例4と同様にして比較例2の保冷バンドを作製した。
【００６６】
実施例１〜４および比較例１，２の保冷バンドをそれぞれ２０本作製し、２０人のモニターを使って以下の評価試験を行った。結果を表２に示す。表中の数字は人数を表す。
【００６７】
（ａ）保管中の芳香
作製した保冷バンドを２０本、厚さ０．０２３ｍｍのポリエチレン袋に入れて密封し、３５℃で３か月間保管した。その後、開封して2０人のモニターで香りをチエックした。
（ｂ）１回目の使用中の芳香
上記チエック後の保冷バンドを２０℃で３分間水に浸漬して、吸水膨潤させた保冷用バンドを作成した。手で軽く絞ったのち、モニター2０人に着用してもらって、保冷の程度と使用中の香りを判定してもらった。
（ｃ）３，６回目の使用中の芳香
一回目の使用後、２５℃、湿度５０％の室内で３日間吊るして乾燥させた後、再度２０℃で３分間水に浸漬して、吸水膨潤させた保冷用バンドを作成した。手で軽く絞ったのち、モニター２０人に着用してもらった（２回目）。さらにこれを繰り返し、３回目の使用中の香りを判定してもらった。さらに繰り返し使用し、6回目の使用中の香りを判定してもらった。
【００６８】
【表２】
2017196056.tif 000004
【００６９】
表２から分かるように、本発明の保冷バンドは、保管中には殆ど香りを外部に漏らすことがない。また、実使用の１回目から６回目においても安定した香りを発生している。比較の保冷バンドは保管中に香りが外に出ているし、実使用においては、最初は香りがしているが３回目から急激に香りがしなくなり香りが安定しなかった。本発明の保冷バンドが有効であることが確認できた。
【符号の説明】
【００７０】
１  芳香剤
２  水溶性樹脂フィルム
３  吸水シート
４  不織布
５  布帛
【図１】
2017196056.tif 000005
【手続補正書】
【提出日】平成28年4月27日(2016.4.27)
【手続補正１】
【補正対象書類名】明細書
【補正対象項目名】００６２
【補正方法】変更
【補正の内容】
【００６２】
【表１】
2017196056.tif 000006